(57)【特許請求の範囲】
【請求項１】
魚釣りに用いられるルアーであって、
分割された２つのルアー部材からなり、内部に空間を有するルアー本体と、
前記ルアー本体の内部空間内に調整用の空間を残して移動不能に係止された重錘体と、を備え、
前記内部空間内には突起が形成されており、前記重錘体は前記突起に係合する係合部を有している、
ルアー。
【請求項２】
前記内部空間は水密である、請求項１記載のルアー。
【請求項３】
前記突起は複数設けられており、前記重錘体は１または複数の前記突起に挟持されている、請求項１または２に記載のルアー。
【請求項４】
前記突起および重錘体は複数設けられており、それぞれの突起が１個の重錘体を挟持可能である、請求項１または２に記載のルアー。
【請求項５】
前記突起が前記ルアー部材の内側に形成されたリブである、請求項１から４のいずれかに記載のルアー。
【発明の詳細な説明】
【０００１】
【産業上の利用分野】
本発明は、ルアー、特に係止された重錘体を有するルアーに関する。
【０００２】
【従来の技術】
シーバスやブラックバス等のバス類の魚を釣る際によく用いられるルアーは、一般に、魚形状のルアー本体と、ルアー本体の内部に装着された重錘体とを備えている。この重錘体は、ルアーに動きを与えたりルアーを安定させるために必要である。従来、この種の重錘体は、ルアー本体の内部に形成された内部空間に装着されている。
【０００３】
重錘体が装着されたルアーとして、重錘体をルアー内部の空間内で自由に動き回らせ、音を出させるようにしたラトルタイプのものが知られている。ラトルタイプのルアーは魚の聴覚を刺激することにより時としてかなりの釣果が得られるが、反面ストレスが高く神経質になった魚に対しては効果が薄れて悪影響を与えることがある。このため、近年、重錘体をルアー本体内部で固定するサイレントタイプのルアーが製造されている。
【０００４】
サイレントタイプのルアーは、従来、ラトルタイプと同じルアー本体にラトルタイプと同じかまたはサイレントタイプ用の重錘体を装着して製造されている。この重錘体の固定方法は、ゴム系の接着剤等を使用して接着するのが一般的である。しかし接着により重錘体を固定すると、固定状態にばらつきが発生したり製造工程が増加するという問題がある。
これらの問題を解決するために、重錘体を装着する専用空間をルアー本体内に設けたルアーが、実開平６−９４６１号公報に開示されている。
【０００５】
このルアーは、横断面が略楕円状のルアー本体の上部側に水密空間を設け、下部側に水密ではない重錘体配置空間を設けたものである。
重錘体配置空間には、重錘体がその空間内に全域にわたって配置されている。
なお、重錘体は単一のものと複数のものとが開示されている。
【０００６】
【発明が解決しようとする課題】
前記従来の構成では、重錘体配置空間の全域に重錘体が配置されているため、魚種や漁場の状態により異なる重量の重錘体を装着したルアーを製造する場合、重錘体配置空間の形状を重錘体に応じて変更するか、重錘体の数を増減するかしなければならない。重錘体配置空間の形状を変更する場合には、重錘体毎に形が異なる多種のルアー本体を用意しなければならず、製造コストが高くなる。また、重錘体の数を変える場合には、重錘体単位での重量の調整は可能であるが、それより細かな重量の調整は困難である。
本発明の目的は、重錘体の重量を単一形状のルアー本体を用いて細かく調整可能なルアーを提供することにある。
【０００７】
【課題を解決するための手段】
発明１に係るルアーは、魚釣りに用いられるルアーであって、ルアー本体と重錘体とを備えている。ルアー本体は、分割された２つのルアー部材からなり、内部に空間を有している。重錘体は、ルアー本体の内部空間内に調整用の空間を残して移動不能に係止されている。そして、内部空間内には突起が形成されており、重錘体は突起に係合する係合部を有している。
【０００８】
発明２に係るルアーは、発明１に記載のルアーにおいて、内部空間が水密である。
発明３に係るルアーは、発明１または２に記載のルアーにおいて、突起が複数設けられており、重錘体は１または複数の突起に挟持されている。
【０００９】
発明４に係るルアーは、発明１または２に記載のルアーにおいて、突起及び重錘体は複数設けられており、それぞれの突起が１個の重錘体を挟持可能である。
発明５に記載のルアーは、発明１〜４のいずれかに記載のルアーにおいて、突起がルアー部材の内側に形成されたリブである。
【００１０】
【作用】
発明１に係るルアーでは、重錘体の重量を調整する際には、重錘体の形状を重量に合わせて任意に変更し、内部空間内に移動不能に係止する。ここでは、内部空間内に調整用の空間を残して重錘体が移動不能に係止されているため、重量に応じて重錘体の形状を任意に変更できる。このときルアー本体の形状は同一でよい。このため単一のルアー本体で重錘体の重さを細かく調整できる。また、内部空間に形成された突起と重錘体に設けられた係合部とにより重錘体が内部空間内に係止されるので、簡単な構成で重錘体の固定が可能になる。
【００１１】
発明２に係るルアーでは、内部空間が水密であるので、重錘体の腐食が防止され、ルアーの寿命が長くなる。
発明３に係るルアーでは、複数の突起で１または複数の重錘体が挟持されて内部空間内で重錘体が係止される。ここでも簡単な構成で重錘体の固定が可能になる。
【００１２】
発明４に係るルアーでは、突起及び重錘体が複数設けられており、それぞれの突起が１個の重錘体を挟持しているので、挟持している重錘体の数の調整及び重錘体の大きさの調整により細かく重量を調整できる。
発明５に係るルアーでは、ルアー部材の内側に形成されるリブにより重錘体が係止されるので、補強用のリブと係止用の部材との兼用が可能であり、内部の構造が簡素になる。
【００１３】
【実施例】
〔実施例１〕
図１は本発明の一実施例によるルアーを示している。
図１において、ルアー１は、小魚等の魚体形状に似せたルアー本体２と、ルアー本体２内に装着された重錘体３とを有している。ルアー本体２は合成樹脂製であり、内部が中空となるように２つのルアー部材２ａ，２ｂ（図２）を溶着により貼り合わせている。ルアー本体２の表面には、魚に似せた模様が描かれている。ルアー本体２の上前部には、ルアー１の水中姿勢を安定させるための水受け部９が設けられている。ルアー本体２の上部中央と下部前部及び後端には、それぞれアイ（止め輪）４，５，６が取り付けられている。アイ４にはスプリットリング（図示せず）を介して道糸が装着される。アイ５，６には、スプリットリング１０，１１を介してフック（釣り針）７，８が装着されている。
【００１４】
ルアー部材２ａ，２ｂは、図２〜図４に示すように、魚体を正面から見て左右対称の部材であり、内部には凹部により構成された水密空間２０が設けられている。それぞれのルアー部材２ａ，２ｂには、複数のリブ２１〜２４が形成されている。リブ２１は後部に縦方向に設けられている。リブ２２は横方向に延びている。リブ２３はリブ２２の途中から下方に延びている。リブ２４はルアー部材２ｂの前側にリング状に設けられている。
これらのリブ２１〜２４はルアー部材２ａにも対称に設けられている。
【００１５】
リブ２３は、図４に示すように、他の部分より高さが低い切欠き部２５を有している。リブ２４も他の部分より高さが低い切欠き部２６を有している。したがって切欠き部２５，２６において、他の部分よりリブ２３，２４の間隔が広くなっている。また、ルアー部材２ｂには、複数の取付穴２７が形成されている。取付孔２７に対向してルアー部材２ａには、取付穴２７に嵌合する取付ピン２８が形成されている。取付ピン２８を取付穴２７に挿入することで２つのルアー部材２ａ，２ｂが位置決めされて貼り合わされる。
【００１６】
重錘体３は、図５及び図６に示すように、リブ２４内に配置される前重錘体３０と、前重錘体３０に連なる棒状の後重錘体３１とを有している。前重錘体３０と後重錘体３１との間には、リブ２４の切欠き部２６に係止される係止溝３２が両側に設けられている。また後重錘体３１の後部には、リブ２３に係止される係止溝３３が両側に設けられている。ここで、前重錘体３０を前側に配置することで、ルアー１全体としては前側が重くなるようになっている。
【００１７】
ルアー１の重錘体の重さを調整する際には、重錘体の係止溝３２，３３の位置だけを変えずに重錘体の容積を変更することで自由に重さを変更できる。また、重心位置の変更も、重錘体３の形状を変更することで可能である。ここでは、水密空間２０に調整用の空間を残しながら重錘体３を固定できるため、重錘体３の重量や重心位置を任意に変更できかつ固定することが可能である。
【００１８】
〔実施例２〕
図７は、実施例２によるルアーの縦断面を示している。
図７において、ルアー４１は、小魚等の魚材形状に似せたルアー本体４２と、ルアー本体４２内に装着された複数の重錘体４３とを有している。ルアー本体２は、合成樹脂製であり、内部が中空となるように２つのルアー部材４２ａ，４２ｂ（図８）を溶着により貼り合わせている。ルアー本体２の表面には、魚に似せた模様が描かれている。ルアー本体４２の前端と中央下端と後端とには、それぞれアイ（止め輪）４４，４５，４５が取り付けられている。アイ４４にはスプリットリングを介して道糸が装着される。アイ４５，４５には、スプリットリングを介してフック（釣り針）がそれぞれ装着される。
【００１９】
ルアー部材４２ａ，４２ｂは、魚体を正面から見て左右対称の部材であり、内部には凹部により構成された水密空間４６が設けられている。それぞれのルアー部材４２ａ，４２ｂには、複数のリブ４７〜４９が形成されている。リブ４７は前後に横方向に設けられている。リブ４８は前部で上下に設けられている。リブ４９は間で重錘体４３を挟持するためのリブであり、重錘体の最大装着個数分設けられている。リブ４９はリブ４７から下方に底部まで延びており、他のリブより高さが低くなっている。したがって、図８に示すように、ルアー部材４２ａ，４２ｂのリブ４９の間隔は他のリブより広くなっている。また、ルアー部材４２ｂには、複数の取付穴５０が形成されている。取付穴５０に対向してルアー部材４２ａには、取付穴５０に嵌合する取付ピン５１が形成されている。取付ピン５１を取付穴５０に挿入することで２つのルアー部材４２ａ，４２ｂが位置決めされて貼り合わされる。
【００２０】
重錘体４３は、図９に示すように、円柱状の重錘体本体５２と重錘体本体５２の両側に形成された係止溝５３とを有している。この係止溝５３をリブ４９に嵌め込むことで重錘体４３がルアー本体４２に係止される。この実施例では、ルアー４１の重錘体の重さを調整する際には、重錘体の係止溝５３の位置だけを変えずに重錘体４３の容積や数を変更することで自由に重さを変更できる。また、重心位置の変更も重錘体３の形状や位置を変更することで可能である。ここでも、水密空間４６に調整用の空間を残しながら重錘体３を固定できるため、重錘体の重量や重心位置を任意に変更できかつ固定することが可能である。
【００２１】
〔他の実施例〕
（ａ）  図１０に示すように、図７に示すリブ４７によって形成された複数の重錘体取付空間の周壁４７ａ間に設けられた突状部を係止部５５とし、この係止部５５を利用して重錘体５４を取り付けるようにしてもよい。この重錘体５４は、図１１に示すように、周壁４７ａに沿う２つの円柱を付着したような形状であり、係止部５５に係止される係合溝５６を有している。
（ｂ）  リブに代えて、突出するピンにより重錘体を係止してもよい。
（ｃ）  重錘体に突起を設けるとともにリブの一部に突起が係合可能な切欠きを設け、これらにより重錘体を移動不能に係止するようにしてもよい。
（ｄ）  合成樹脂製のルアー本体に代えて、バルサ等の木製のルアー本体を用いてもよい。
【００２２】
【発明の効果】
発明１に係るルアーでは、内部空間内に調整用の空間を残して重錘体が移動不能に係止されているため、重量に応じて重錘体の形状を任意に変更できる。このときルアー本体の形状は同一でよい。このため単一のルアー本体で重錘体の重さを細かく調整できる。また、内部空間に形成された突起と重錘体に設けられた係合部とにより重錘体が内部空間内に係止されるので、簡単な構成で重錘体の固定が可能になる。
【００２３】
発明２に係るルアーでは、内部空間が水密であるので、重錘体の腐食が防止され、ルアーの寿命が長くなる。
発明３に係るルアーでは、複数の突起で１または複数の重錘体が挟持されて内部空間内で重錘体が係止される。ここでも簡単な構成で重錘体の固定が可能になる。
【００２４】
発明４に係るルアーでは、突起及び重錘体が複数設けられており、それぞれの突起が１個の重錘体を挟持しているので、挟持している重錘体の数の調整及び重錘体の大きさの調整により細かく重さを調整できる。
発明５に係るルアーでは、ルアー部材の内側に形成されるリブにより重錘体が係止されるので、補強用のリブと係止用の部材との兼用が可能であり、内部の構造が簡素になる。
【図面の簡単な説明】
【図１】本発明の一実施例によるルアーの側面図。
【図２】ルアーの縦断面図。
【図３】図１のIII−III断面図。
【図４】図１のIV−IV断面図。
【図５】重錘体の側面図。
【図６】重錘体の平面図。
【図７】実施例２の図２に相当する図。
【図８】図７のVIII−VIII断面図。
【図９】実施例２の重錘体の斜視図。
【図１０】他の実施例の縦断面拡大部分図。
【図１１】他の実施例の重錘体の斜視部。
【符号の説明】
１，４１  ルアー
２，４２  ルアー本体
２ａ，２ｂ，４２ａ，４２ｂ  ルアー部材
３，４３，５４  重錘体
２３，２４，４９  リブ
２５，２６  切欠き部
３２，３３，５３，５６  係合溝
５５  係止部
【図１】
0003604096.tif 000002
【図２】
0003604096.tif 000003
【図３】
0003604096.tif 000004
【図４】
0003604096.tif 000005
【図５】
0003604096.tif 000006
【図６】
0003604096.tif 000007
【図７】
0003604096.tif 000008
【図８】
0003604096.tif 000009
【図９】
0003604096.tif 000010
【図１０】
0003604096.tif 000011
【図１１】
0003604096.tif 000012